(57)【要約】      （修正有）【課題】スピーカの音圧測定試験中に火災が発生した場合の対応を適切かつ迅速に行うことができる防災監視設備を提供する。【解決手段】音圧測定試験処理部３２は、試験エリアを指定する試験エリア設定操作と試験開始を指示する試験実行操作に基づいて、所定パターンの音声警報信号の内の音圧測定を行う所定の信号箇所を、試験エリアのスピーカから試験音として繰返し出力させる。試験中に監視制御部３１により火災発生を判別した場合、音圧測定試験を中断し、所定パターンの音声警報信号を生成して火災発生場所に対応したスピーカから火災警報音を出力させる。【選択図】図４
0003191705.tif 000002
【実用新案登録請求の範囲】
【請求項１】
火災感知器の火災検出により火災発生を判別した場合、火災発生を示すメッセージ及び警報音を含む所定パターンの音声警報信号を生成して火災発生場所に対応した所定の音響変換器から火災警報音を出力させる監視制御部と、
音圧測定試験の試験エリアを指定する試験エリア設定操作と試験開始を指示する試験実行操作に基づいて、前記音声警報信号の内の音圧測定を行う所定の信号箇所を、試験エリアの音響変換器から試験音として繰返し出力させる音響測定試験を実行する音圧測定試験処理部と、
を備えた防災監視設備に於いて、
前記音圧測定試験処理部は、試験中に前記監視制御部により火災発生を判別した場合、前記音圧測定試験を中断し、前記音声警報信号を生成して火災発生場所に対応した所定の音響変換器から火災警報音を出力させることを特徴とする防災監視設備。
【請求項２】
請求項１記載の防災監視設備に於いて、前記音圧測定試験処理部は、試験中に前記監視制御部により火災発生を判別した場合、前記試験音を途中で中断した後に前記火災警報音を出力させることを特徴とする防災監視設備。
【請求項３】
請求項１記載の防災監視設備に於いて、前記音圧測定試験処理部は、試験中に前記監視制御部により火災発生を判別した場合、前記試験音を中断した後に試験中に火災が発生したことを示すメッセージを含む所定パターンの音声警報信号を生成して火災警報音を出力させることを特徴とする防災監視設備。
【請求項４】
請求項１記載の防災監視設備に於いて、前記音圧測定試験処理部は、前記試験エリア設定操作を判別した後に所定時間を経過しても前記試験実行操作を判別しない場合または試験終了操作を判別した場合、前記音圧測定試験を解除することを特徴とする防災監視設備。
【考案の詳細な説明】
【技術分野】
【０００１】
本考案は、防災監視盤で火災を監視して火災発生時に音声警報用のスピーカに火災発生のメッセージと警報音を含む音声警報信号を送って警報させる防災監視設備及び警報器に関する。
【背景技術】
【０００２】
従来、火災発生時に音声警報用のスピーカから、火災が発生したことを示す音声メッセージと警報音を含む音声警報を出力する防災監視設備としては、集合住宅の防災監視設備がある。
【０００３】
集合住宅の防災監視設備にあっては、住戸内に設置したスピーカを持ったインターホン子機付きの住戸用火災受信機から引き出された感知器回線に火災感知器を接続して住戸毎に火災を監視しており、各住戸の住戸用火災受信機を更に管理人室などに設置した防災監視盤に接続して集中監視している。
【０００４】
またロビー、階段、廊下などの共用部に対し防災監視盤から引き出された感知器回線に火災感知器を接続し、直接火災を監視している。
【０００５】
このような防災監視設備にあっては、火災発生時に防災監視盤において音声合成により生成した近隣火災警報の音声警報信号を、火災発生階および直上階の住戸用火災受信機に送ってそのスピーカから火災警報音を出力させており、同時に火災発生階及び直上階の共用部に設置されたスピーカを回線選択して同じ音声警報信号を送って火災警報音を出力させている。
【０００６】
図８（Ａ）は、近隣火災警報音を出力させる音声警報信号のパターンであり、第１シグナル、メッセージ、第１シグナル、メッセージ及び第２シグナルで構成される。ここで第１シグナルは図９（Ｂ）のように、「フィン  フォン  フィン  フォン  フィン  フォン」という警報音であり、基本波形は鋸波とし、第１音をフィン（７４０Ｈｚ）０．５秒、第２音をフォン（４９４Ｈｚ）０．５秒とし、これを１単位として３回繰り返す。
【０００７】
メッセージは、図８（Ｃ）のように、例えば「火事です。火事です。」、「○○階廊下で火災が発生しました。」、「安全を確認の上避難してください。」とする。最後の第２シグナルは、「フィッ」、「フィッ」、「フィッ」という警報音であり、詳細には３００Ｈｚから２ＫＨｚまでの０．５秒間のスイープ音としている。
【０００８】
このような防災監視設備にあっては、設備の施工時及び定期点検時などに共用部に設置しているスピーカから所要の音量がでることを確認するため、音圧測定試験を行っている。この音圧測定試験は図８の音声警報信号の内の信号振幅が一定で周波数を変化させていることにより音圧が最も確保できるスイープ音（警報音）を使用した第２シグナルについて行っている。
【０００９】
しかしながら、第２シグナルを試験音とした音圧測定試験にあっては、火災警報音の出力を開始してから第２シグナルの試験音が出力されるまで測定者は待たなければならない。また、第２シグナルは図８（Ｄ）のように一定間隔をあけて鳴動するため、測定者は騒音計の指針が揺れる中、そのピーク値を読み取る必要があり、その読み取りに失敗した場合は、再度第２シグナルの試験音が出力されるまでの間待つ必要があった。
【００１０】
そこで音圧測定試験では、音声警報信号の中の音圧測定試験に適した第２シグナルによる試験音を連続して出力し、音声警報信号の中の、例えば最後の第２シグナル音が出力される測定タイミングまで待つことなく音圧測定試験ができるようにしている。
【先行技術文献】
【特許文献】
【００１１】
【特許文献１】特開平８−０１６９７１号公報
【特許文献２】特開平５−２８２５６６号公報
【特許文献３】特開２０００−００３４８６号公報
【考案の概要】
【考案が解決しようとする課題】
【００１２】
ところで、このような従来の防災監視設備における音圧測定試験にあっては、試験中に住戸用火災受信機を設置している住戸で万一火災が発生した場合、防災監視盤は住戸用火災受信機からの火災確認信号を受信して火災代表表示、火災発生を報知する主音響メッセージの出力、火災発生住戸を示す地区表示などを行い、更に、火災発生階および直上階の住戸受信機のスピーカおよび廊下などの共用部に設置したスピーカから、図９に示したような所定パターンの火災警報音を出力する。
【００１３】
しかしながら、音圧測定試験を指定した試験エリアに設置したスピーカは、第２シグナルにより試験音の連続出力中であることから、防災監視盤で試験停止操作を行わないと試験エリアに対し火災警報音を出力することができず、火災警報音が正常に出力されるまでに手間と時間がかかるという問題がある。
【００１４】
また従来の防災監視設備における音圧測定試験にあっては、試験画面などによる回線番号の入力により試験エリアを設定した状態で実行スイッチを押すことで、試験エリアのスピーカから第２シグナルによる試験音を連続出力して音圧測定試験を実行しているが、試験エリアを設定した後に試験エリアにおける騒音計の設置に手間取った場合には、長時間に亘り本来の火災警報音を出力する機能が失われるという問題がある。
【００１５】
また試験終了操作は、試験を開始した後に有効になる操作であり、試験エリアを変更するために試験を開始する前に試験終了操作を判別しても無視され、必要のない試験エリアについて第２シグナルによる試験音の連続出力を行わないと試験終了操作が有効に機能せず、試験エリアの設定変更が煩雑になるという問題もある。
【００１６】
本考案は、スピーカの音圧測定試験中に火災が発生した場合の対応を適切かつ迅速に行える防災監視設備を提供することを目的とする。
【課題を解決するための手段】
【００１７】
この目的を達成するため本考案は、
火災感知器の火災検出により火災発生を判別した場合、火災発生を示すメッセージ及び警報音を含む所定パターンの音声警報信号を生成して火災発生場所に対応した所定の音響変換器（スピーカ）から火災警報音を出力させる監視制御部と、
音圧測定試験の試験エリアを指定する試験エリア設定操作と試験開始を指示する試験実行操作に基づいて、音声警報信号の内の音圧測定を行う所定の信号箇所を、試験エリアの音響変換器から試験音として繰返し出力させる音響測定試験を実行する音圧測定試験処理部と、
を備えた防災監視設備に於いて、
音圧測定試験処理部は、試験中に監視制御部により火災発生を判別した場合、音圧測定試験を中断し、音声警報信号を生成して火災発生場所に対応した所定の音響変換器から火災警報音を出力させることを特徴とする。
【００１８】
ここで、音圧測定試験処理部は、試験中に監視制御部により火災発生を判別した場合、試験音を途中で中断した後に火災警報音を出力させる。
【００１９】
また、音圧測定試験処理部は、試験中に監視制御部により火災発生を判別した場合、試験音を中断した後に試験中に火災が発生したことを示すメッセージを含む所定パターンの音声警報信号を生成して火災警報音を出力させる。
【００２０】
音圧測定試験処理部は、試験エリア設定操作を判別した後に所定時間を経過しても試験実行操作を判別しない場合または試験終了操作を判別した場合、音圧測定試験を解除する。
【考案の効果】
【００２１】
以上説明してきたように本考案によれば、防災監視盤側で設定した試験エリアのスピーカから、火災警報音の中の音圧測定試験に適した信号箇所を試験音として繰り返し出力している試験中に火災発生が判別された場合、試験音を出力する音圧測定試験を中断して火災発生場所に対応した所定パターンの火災警報音を出力させるため、防災監視盤に戻って試験停止操作を必要とすることなく、試験エリアのスピーカからも火災警報音を出力させることができ、試験中に万一火災が発生しても、試験エリアを含めて例えば火災発生階と直上階に適切に火災警報音を出力させることで、試験中の火災発生に対し適切に対応できる。
【００２２】
また試験中に火災が発生した場合、試験エリアについては、試験音を途中で中断して火災発生場所を示す音声メッセージを含む火災警報音が出力され、試験音から明確に区別した火災報知ができる。
【００２３】
また音圧測定試験のための試験音を中断して火災発生場所を示す音声メッセージを含む火災警報音を出力する場合、試験中に火災が発生したことを示す音声メッセージを入れた火災警報音を出力することで、試験中に火災が発生したことが確実に伝わり、試験音から明確に区別できるため、火災発生に対し初期消火や避難を迅速に行うことができる。
【００２４】
また音圧測定試験のために試験エリアを設定して試験実行操作を行わないでいると、所定時間後に音圧測定試験が自動的に解除され、試験エリアを設定したまま本来の火災警報音の出力機能が失われる状態を必要最小限に抑え、火災監視の信頼性を高めることがでる。
【００２５】
また音圧測定試験のために試験エリアを設定した後に、試験終了操作を判別すると試験を実行していなくとも音圧測定試験を解除することができ、試験エリアの設定を誤ったとき等に、変更したいような場合、簡単に既に設定している試験エリアの設定を解除して最初からやり直すことができ、音圧測定試験の操作性を向上できる。
【図面の簡単な説明】
【００２６】
【図１】本考案で使用される防災受信盤を示した説明図
【図２】図１の防災監視盤の表示操作部を拡大して示した説明図
【図３】本考案による防災監視設備の実施形態を示したブロック図
【図４】図３の防災監視盤に設けた主制御部と音声合成部を取り出したブロック図
【図５】本考案の音圧測定試験で出力する第２シグナルの説明図
【図６】本考案の音圧測定試験で使用する作業画面の説明図
【図７】本考案による音圧測定試験処理のフローチャート
【図８】近隣火災警報に使用する音声パターンの説明図
【考案を実施するための形態】
【００２７】
図１は本考案の防災監視設備で使用される防災監視盤の説明図である。図１において、防災監視盤１は集合住宅の管理人室などに設置されており、図示のように盤正面に火災監視部２を構成する火災発報代表灯などの表示器や各種の操作スイッチが設けられ、また共同玄関の集合玄関機や各住戸のインターホン設備と通話が可能なインターホン親機３としてのハンドセットとキースイッチが設けられている。
【００２８】
図２は図１の防災監視盤１を拡大して表わしている。火災監視部２には液晶表示部４が設けられており、この液晶表示部４に、火災監視時にあっては監視中であることを示す監視画面が表示され、また監視中に火災受信が行われると火災画面に切り換わり、火災発生場所を示す地区名称を順次表示する。
【００２９】
また液晶表示部４は、本考案が対象としている音圧測定試験を行う際の作業画面として使用される。液晶表示部４の右側には火災代表灯や、火災や障害の表示画面が液晶表示部４に切替表示されることに対応して点灯する発報表示、住戸警報表示、盤障害表示、回線障害表示などの表示灯に加え、液晶表示部４に表示する発報表示画面などの表示画面を切り換える画面選択キー、１画面に表示する警報情報が複数存在して一度に液晶画面に表示できないときに、警報情報をスクロールさせて表示させるためのシフトキー、警報復旧キーなどのキースイッチが設けられている。
【００３０】
液晶表示部４の下部にはインターホン親機３が設けられており、ハンドセットの右側にキースイッチ５を設けている。キースイッチ５は０，１，・・・９の番号キー以外に＊キー及び＃キーを設け、更にその下側にインターホン制御のための取消キー、呼出キー、メッセージリセットキー、メッセージセットキーなどを設けており、更にキースイッチ５の下側には解錠キー、住戸音響停止キー、呼出音量の調整キーなどが設けられている。
【００３１】
インターホン親機３の右側には、交流電源、予備電源動作中、スイッチ注意、障害代表、地区音響完全停止中、電話、発信機、蓄積中、諸表示１，２，３が示された各種の表示灯が設けられる。
【００３２】
その下には、防災監視盤１の主音響を停止する音響停止スイッチ８と、各住戸や共用部の警報を一時停止する地区音響一時停止スイッチ９が設けられる。
【００３３】
更に、その下に液晶表示部４を使用した地区名称の登録作業やその他項目選択などに使用するスイッチとして実行スイッチ６及び前画面スイッチ７が配置されている。実効スイッチ６は、音圧測定試験の際に、音圧測定試験の実行操作を指示するスイッチとして機能する。また前画面スイッチ７は、音圧測定試験の際に、音圧測定試験の終了操作を指示するスイッチとして機能する。
【００３４】
また、実行スイッチ６及び前画面スイッチ７の右側には試験復旧、蓄積解除、保守音響停止、地区音響一斉鳴動の各表示灯と、地区音響一斉鳴動および復旧の各スイッチ設けられ、一番下側には非常電話用のジャックが設けられている。
【００３５】
図３は本考案の火災報知設備の全体的な構成を示したブロック図である。図３において、防災監視盤１からは、各住戸側に対し伝送線２８と通話線２９が引き出され、この伝送線２８と通話線２９に対し住戸用火災受信機１０が住戸毎に接続されている。
【００３６】
住戸用火災受信機１０は住戸用制御部１１を備え、住戸用制御部１１は制御部１２、防災監視盤との火災情報や通話制御情報などの伝送を行う伝送回路１３、インターホンなどの音声のやり取りを行う通話回路１４、所定パターンの火災警報音などを出力させる音声警報信号や試験音を出力させる信号を生成する音声合成部１５から構成されている。
【００３７】
また住戸用制御部１１に対しては、火災表示灯２１、集合玄関機や防災監視盤と通話を行うインターホン機能のハンドセット２２、トランジスタ２３により作動されるリレー２４、音声合成部１５からの音声信号を増幅するアンプ２５と住戸用スピーカ２６が設けられている。
【００３８】
感知器回線１８には住戸内の火災を監視する住戸用火災感知器２０が接続され、また終端には終端抵抗１９が接続されている。住戸用制御部１１の構成の一部又は全部はＭＰＵ（マイクロプロセッサ）の制御機能で実現することができる。これは一例であり、各機能の分離、統合は任意に行うことができる。また各機能のそれぞれの一部または全部は、ソフトウェア（プログラム）によって実行されるものであっても、ハードウェアによって実行されるものであっても良い。
【００３９】
更に住戸用火災受信機１０に対しては、住戸玄関口などに設置されたドアホン２７が接続されている。このドアホン２７には火災検出時に火災警報表示を行う戸外表示器２７ａが設置されている。
【００４０】
ここで防災監視盤１と住戸用火災受信機１０との間の伝送線２８による伝送は、住戸用火災受信機１０側に固有のアドレスを設定し、防災監視盤１からのアドレスの指定による住戸用火災受信機１０の呼出しで信号を伝送するいわゆるＲ型伝送方式を採用している。住戸用受信機１０へのアドレスの設定は、ディップスイッチなどで構成されるアドレス設定部１６で行われる。
【００４１】
また住戸用制御部１１の制御出力によりオン、オフされるトランジスタ２３の負荷となるリレー２４は、切替リレー接点２４ａ，２４ｂを備えている。切替リレー接点２４ａは通常監視状態では通話線２９を通話回路１４に接続し、防災監視盤からのインターホン親機と住戸用火災受信機１０に設けているハンドセット２２との間での通話ができるようにしている。
【００４２】
また切替リレー接点２４ｂは、図示のように通常監視状態では音声合成部１５側に閉じており、インターホンの呼出音や住戸用火災受信機１０で火災感知器２０からの発報信号により火災監視部１７が火災を検知した際に住戸内に音声警報を出すようにしている。
【００４３】
リレー２４は、防災監視盤１から火災判断に基づく近隣火災警報や全館一斉鳴動のための火災警報音を出力するための音声警報出力制御信号を伝送回路１３を介して制御部１２で受けた際に、制御部１２によるトランジスタ２３のオンにより駆動され、切替リレー接点２４ａ，２４ｂを破線のように切り替え、防災監視盤１からの通話線２９による近隣火災警報のための音声警報信号を直接アンプ２５に加え、住戸用スピーカ２６から直上階または出火階の住戸に対する近隣火災警報や全館一斉鳴動の火災警報音を出力できるようにしている。
【００４４】
防災監視盤１はＭＰＵを用いた主制御部３０を備え、主制御部３０は、そのプログラム制御により監視制御部３１と本考案による音圧測定試験処理部３２としての機能を備えている。もちろんＭＰＵで構成される主制御部３０には、ＲＯＭやＲＡＭなどが設けられている。なお、これは一例であり、各機能の分離、統合は任意に行うことができる。また各機能のそれぞれの一部または全部は、ソフトウェア（プログラム）によって実行されるものであっても、ハードウェアによって実行されるものであっても良い。
【００４５】
主制御部３０に対しては液晶表示部４と操作部３３が接続される。液晶表示部４及び操作部３３の構成は、図１及び図２のようになる。また主制御部３０に対しては主音響用音声合成部４３が設けられ、その出力にアンプ４４を介して主音響用スピーカ（主音響用音響変換器）４５を接続している。
【００４６】
また防災監視盤１にはインターホン制御部３４が設けられ、伝送回路３５と通話回路３６の機能が設けられている。このインターホン制御部３４に設けた伝送回路３５は、伝送線２８を介して接続された住戸側の住戸用火災受信機１０及び防災監視盤１に内蔵している中継器４０のアドレスを指定して、制御信号（制御コマンド）やデータの伝送を行うＲ型伝送機能を実現する。
【００４７】
防災監視盤１に設けている中継器４０からは集合住宅の共用部に対し共用部感知器回線４１が引き出され、ここに共用部用火災感知器４２及び終端に終端抵抗４３を接続している。なお、共用部の大きさや数により適宜中継器４０、共用部用火災感知器４２が設けられる。
【００４８】
また伝送回路３５及び通話回路３６に対しては集合玄関機３８が接続される。このため集合玄関機３８とインターホン制御部３４に接続しているインターホン親機のハンドセット３７との通話、また住戸用火災受信機１０のハンドセット２２との間で集合玄関ドアの開閉制御や通話ができるようにしている。
【００４９】
防災監視盤１の主制御部３０に対しては近隣火災警報用の音声合成部４６が設けられ、その出力はパワーアンプ４７を介して回線選択部４９に接続されている。回線選択部４９に対しては共用部に設置された共用部スピーカ（共用部音響変換器）５０ａ〜５０ｎが回線単位に接続されている。
【００５０】
回線選択部４９の選択制御は、主制御部３０に対し設けた入出力制御部４８により行われる。即ち主制御部３０で住戸用火災受信機１０からの火災確認信号または中継器４０からの火災信号の受信に基づいて火災及び火災発生地区を判断すると、入出力制御部４８に対し例えば近隣火災警報であれば出火階及び直上階の共用部に対する回線選択を指示し、これに基づき入出力制御部４８が出火階及び直上階に対応した回線選択部４９に設けているリレーを作動し、その接点をオンすることで、パワーアンプ４７の出力に出火階及び直上階の共用部に設けている共用部スピーカ５０ａ〜５０ｎの内の対応するスピーカを接続する。
【００５１】
同時に主制御部３０は、インターホン制御部３４の伝送回路３５を介して出火階及び直上階の住戸の住戸用火災受信機１０に対し、そのアドレスを指定して音声警報出力制御信号を送り、トランジスタ２３のオンによるリレー２４の駆動で切替リレー接点２４ａ，２４ｂを破線側に切り替える。
【００５２】
更にインターホン制御部３４においてトランジスタ５１、リレー５２、切替リレー５２ａで構成される切替回路が設けられ、主制御部３０からの音声警報出力制御信号によりトランジスタ５１を駆動することでリレー５２を作動し、その切替リレー接点５２ａを同じく破線側に切り替え、この状態で音声合成部４６より近隣火災警報の音声警報信号を出力することで、出火階及び直上階の近隣住戸及び共用部のスピーカから近隣火災警報の火災警報音を出力できるようにしている。
【００５３】
更に防災監視盤１には電源部５３が設けられ、商用ＡＣ１００Ｖにより内部に対する直流電源電圧を作り出している。
【００５４】
次に図３の防災監視設備における動作を説明する。住戸用火災受信機１０を設置しているある住戸で火災が発生したとすると、住戸用火災感知器２０が発報し、発報信号を火災監視部１７で受信し、火災監視部１７からの火災発報信号を受けて住戸用制御部１１は、その制御部１２により火災表示灯２１を点灯し、併せてドアホン２７に設けている戸外表示器２７ａを点滅する。
【００５５】
また音声合成部１５を作動し、住戸用スピーカ２６より例えば「火災感知器が作動しました。火災を確認してください。」などの音声メッセージの火災警報音を出力させる。
【００５６】
このような住戸用火災受信機１０における火災受信の動作に対し、居住者が火災を確認したならば、図示しない火災確認釦を操作すると、伝送線２８により防災監視盤１に対し火災確認信号が送出される。
【００５７】
また火災確認釦を操作しなくとも、火災受信から予め一定時間例えば２〜５分以内に定めた一定時間を経過すると、自動的に伝送線２８より防災監視盤１に対し火災確認信号を送出する。なお火災受信から一定時間を経過する前に住戸用火災受信機１０に設けられる警報音停止釦や復旧釦を操作すると、防災監視盤１に対する火災確認信号の送出は行われず初期状態に復旧する。
【００５８】
防災監視盤１は、火災発生住戸の住戸用火災受信機１０からの火災確認信号をインターホン制御部３４の伝送回路３５を経由して主制御部３０で受信すると、その監視制御部３１の機能により火災及び火災発生住戸を判断し、主音響用音声合成部４３を作動して所定パターンの音声警報信号を生成してアンプ４４により増幅した後、主音響用スピーカ４５より火災発生を示す主音響の火災警報音として、例えば「火事です。火事です。○○階△△△△号室で火災が発生しました。」などを出力する。
【００５９】
同時に、液晶表示部４に火災発生住戸として「○○階△△△△号室で火災発生」などの地区名称（火災発生住戸）を表示する。また図２の防災監視盤１において、火災代表表示や液晶表示部４に火災発報画面が表示されていることを示す発報表示灯の点灯を行わせる。
【００６０】
続いて主制御部３０は火災発生住戸から、その火災発生階の住戸及び直上階の住戸、更に共用部のアドレスを認識し、火災発生階及び直上階の住戸にインターホン制御部３４の伝送回路３５経由でアドレスを指定して近隣火災警報のために音声警報出力制御信号を送る。
【００６１】
このため火災発生階の住戸及び直上階の住戸にあっては、住戸用火災受信機１０の住戸用制御部１１において防災監視盤１からの音声警報出力制御信号が判別され、リレー２４の作動で切替リレー接点２４ａ，２４ｂを破線側に切り替え、また防災監視盤１においてもインターホン制御部３４が制御出力によりリレー５２を作動し、切替リレー接点５２ａを破線側に切り替え、音声合成部４６の出力を通話線２９に接続する。
【００６２】
同時に主制御部３０は入出力制御部４８に火災発生階及び直上階の共用部の回線選択のための制御指示を行い、これを受けて回線選択部４９の火災発生階及び直上階の回線に対応したリレーが作動され、出火階及び直上階の共用部スピーカがパワーアンプ４７の出力に接続される。
【００６３】
このような近隣火災警報の出力制御が済んだ状態で、主制御部３０は音声合成部４６を作動し、近隣火災警報のための所定パターンの音声警報信号を生成して出力する。この近隣火災警報の音声警報信号は、図９に示したように、第１シグナルとして「フィン  フォン  フィン  フォン  フィン  フォン」という警報音を出した後、警報メッセージとして「火事です。火事です。○○階△△△△号室で火災が発生しました。安全を確認の上避難してください」との出力を行い、これを２回繰り返し、最後に「フィッフィッフィッ」というスイープ警報音の第２シグナルを出し、全体を繰り返す。
【００６４】
このような近隣火災警報用の音声合成部４６からの音声警報信号により、出火階及び直上階の住戸用火災受信機１０の住戸用スピーカ２６、更に出火階及び直上階の共用部に設けている共用部スピーカより、近隣火災警報用の火災警報音の出力が行われる。なお火災警報時にあっては通話線２９は火災警報のために使用されることから、インターホン機能は停止されることになる。
【００６５】
一方、共用部での火災発生に対しては中継器４０で共用部用火災感知器４２からの発報信号を受信して火災信号をインターホン制御部３４の伝送回路３５に出力し、この場合にも住戸用火災受信機１０からの火災確認信号を受信した場合と同様にして、出火場所を共用部と判断した火災警報制御が行われる。
【００６６】
次に図３の防災監視盤１の主制御部３０に設けている音圧測定試験処理部３２について説明する。
【００６７】
図４は図３の主制御部３０と音声合成部４６を取り出し、音声合成部４６の回路構成を一例として示している。主制御部３０に設けた音圧測定試験処理部３２は、音圧測定試験を行う共用部の地区指定（試験エリアの指定）に基づいて、指定地区に設置された共用部用スピーカを接続した回線を選択し、図５に示すような火災時に発生する近隣火災警報の音声警報信号の内、音圧測定を行うにあたって音圧を最も確保できる試験音として第２シグナルの繰り返しパターンとなる音声信号を出力させる。
【００６８】
音声合成部４６は音声合成ＩＣ５４と音声データＲＯＭ５８で構成されている。主制御部３０はＩＯポートにより音声合成ＩＣ５４を制御し、音声データＲＯＭ５８に格納されている様々な音声データ信号を繋げて１つの音声警報信号を生成する。
【００６９】
即ち主制御部３０は、７ビットの音声アドレスにより音声データを指定し、スタート信号を入力することにより音声合成ＩＣ５４からの音声データに対応したアナログの音声警報信号の発生を開始する。音声合成ＩＣ５４で発生された音声警報信号は、内蔵しているローパスフィルタ５６により高周波ノイズをカットした後、パワーアンプ４７により増幅され、図３の回線選択部４９を介して共用部スピーカに出力される。また音声合成ＩＣ５４のローパスフィルタ５６の出力は直接、通話線２９から住戸用火災受信機２にも送出される。
【００７０】
音圧測定試験処理部３２は音圧測定試験の際に、音声合成ＩＣ５４に対し図５における「フィッ」のスイープ警報音を発生するための音声アドレスを指定した状態でスタート信号の入力を繰り返すことで、連続する第２シグナルの音声警報信号を試験信号として出力させる。
【００７１】
音圧測定試験時における共用部の地区指定（試験エリアの指定     ）は、防災監視盤１に設けている液晶表示部４を使用して行われる。図６（Ａ）は音圧測定試験の際の液晶表示部４の表示画面であり、画面の上半分が「防災設備監視中」の表示をもつ監視画面６０であり、下半分が音圧測定試験画面６２となっている。
【００７２】
この音圧測定試験画面６２は、液晶表示部４のメニュー画面の中からメニュー項目「各種試験」を押すことで、音圧測定試験画面６２に切り替わる。音圧測定試験画面６２に対し、図１及び図２に示した防災監視盤１のテンキー５を使用して、例えば回線設定枠６３に示すように回線番号「０１」を入力設定し、続いて実行キー６を押すことで試験実効操作が判別され、音圧測定試験のための試験音の出力、即ち音圧測定試験が実行される。なお、全回線を鳴動させる場合は回線番号「９９」を設定して実行キー６を押す。
【００７３】
この実行キー６の試験実行操作により、主制御部３０の音圧測定試験処理部３２が入出力制御部４８に対し指定された回線番号データを与え、これにより回線選択部４９が指定された試験回線に対応したリレー接点を閉じ、パワーアンプ４７の出力に、指定した回線番号を共用部に設置している共用部用スピーカを接続する試験エリアの設定動作が行われる。
【００７４】
同時に音圧測定試験処理部３２は、実行キー６の試験実行操作に基づき、図４に取り出して示すように、音声合成部４６の音声合成ＩＣ５４に対し第２シグナルの音声警報信号を発生させるための音声アドレスとスタート信号を出力し、これにより音声合成ＩＣ５４より図５に示すような第２シグナルの音声警報信号が出力され、パワーアンプ４７で増幅された後、回線選択部４９を通り、このとき選択されている回線の共用部に設置している共用部スピーカから第２シグナルの音声警報信号によるスイープ警報音のみを試験音として連続的に出力させる。
【００７５】
共用部スピーカの音圧測定試験は、スピーカから１ｍ離れた位置に騒音計を設置し、その騒音計のピーク値としては、放送区域の広さによって変化するが、１００平方メートルを超える放送区域の場合は、９２ｄＢ／ｍ以上の測定値が得られれば良い。
【００７６】
ここで、音圧測定試験処理部３２は、テンキー５を使用して、例えば回線設定枠６３に示すように回線番号「０１」を入力設定した後に、実行キー６の試験実行操作を判別せずに所定時間の経過を判別すると、音圧測定試験は実行されないものと判断し、音圧測定試験画面６２の回線設定枠６３に入力設定している回線番号「０１」をクリアして音圧測定試験を解除し、メニュー項目として「各種試験」が表示されたメニュー画面に戻す。
【００７７】
また、音圧測定試験処理部３２は、テンキー５を使用して、例えば回線設定枠６３に示すように回線番号「０１」を入力設定した後に、図２に示した前画面スイッチ７の操作を判別した場合、音圧測定試験の終了操作有りを判別して音圧測定試験を解除する。この場合にも音圧測定試験画面６２はメニュー項目として「各種試験」が表示されたメニュー画面に戻る。
【００７８】
音圧測定試験の解除動作は、実行キー６を操作せずに所定時間が経過したこと、又は前画面スイッチ７による試験終了操作を主制御部３０の音圧測定試験処理部３２で判別すると、入出力制御部４８に対しリセット信号が出力され、これにより回線選択部４９が指定していた試験回線に対応したリレー接点を開き、パワーアンプ４７の出力から、指定した回線番号を共用部に設置している共用部用スピーカとの接続を切り離し、試験エリアの設定解除動作が完了する。
【００７９】
このため音圧測定試験画面６２に切替えた状態でテンキー５により試験エリアを設定するための回線番号を誤って入力設定した場合や、回線番号を入力設定した後に試験エリアを変更したい場合には、所定時間の経過を待つか、前画面スイッチ７を操作することで、音圧測定試験が解除され、簡単かつ容易に試験エリアを設定するための回線番号の入れ直しを行うことができる。
【００８０】
図６（Ａ）の音圧測定試験画面６２を使用してテンキー５により回線番号を入力設定して実行キー６を操作すると音圧測定試験が開始され、図６（Ｂ）の試験中画面６３に切り替わる。この試験中画面６３の状態において試験エリアで音圧測定試験が終了したならば、図２の前画面スイッチ７を押すことで音圧測定試験処理が終了する。
【００８１】
即ち、前画面スイッチ７を押すと図４の主制御部３０により試験終了操作が判別され、音声合成ＩＣ５４に対しリセット信号が出力され、音声合成ＩＣ５４による第２シグナルの音声警報信号の出力が停止する。
【００８２】
一方、音圧測定試験処理部３２は、音圧測定試験中（第２シグナルの音声警報信号によるスープ警報音の出力中）に、監視制御部３１により住戸用火災受信機１０からの火災確認信号または中継器４０による共用部用火災感知器４２からの発報信号により火災発生を判別した場合、試験エリアのスピーカから第２シグナルに基づくスイープ警報音を試験音として繰り返し出力している音圧測定試験を中断し、火災発生場所に対応した火災警報音の出力を行なわせる。
【００８３】
即ち、音圧警報試験中に、防災監視盤１が、火災発生住戸の住戸用火災受信機１０からの火災確認信号をインターホン制御部３４の伝送回路３５を経由して主制御部３０で受信すると、その監視制御部３１の機能により火災及び火災発生住戸を判断し、主音響用音声合成部４３を作動して所定パターンの音声警報信号を生成してアンプ４４により増幅した後、主音響用スピーカ４５より火災発生を示す主音響の火災警報音を出力する。
【００８４】
同時に、液晶表示部４に火災発生住戸として地区名称（火災発生住戸）を表示する。また図２の防災監視盤１において、火災代表表示や液晶表示部４に火災発報画面が表示されていることを示す発報表示灯の点灯を行わせる。
【００８５】
続いて主制御部３０は火災発生住戸から、その火災発生階の住戸及び直上階の住戸、更に共用部のアドレスを認識し、火災発生階及び直上階の住戸にインターホン制御部３４の伝送回路３５経由でアドレスを指定して近隣火災警報のために音声警報出力制御信号を送る。
【００８６】
このため火災発生階の住戸及び直上階の住戸にあっては、住戸用火災受信機１０の住戸用制御部１１において防災監視盤１からの音声警報出力制御信号が判別され、リレー２４の作動で切替リレー接点２４ａ，２４ｂを破線側に切り替え、また防災監視盤１においてもインターホン制御部３４が制御出力によりリレー５２を作動し、切替リレー接点５２ａを破線側に切り替え、音声合成部４６の出力を通話線２９に接続する。
【００８７】
同時に主制御部３０は入出力制御部４８に火災発生階及び直上階の共用部の回線選択のための制御指示を行い、これを受けて回線選択部４９の火災発生階及び直上階の回線に対応したリレーが作動され、出火階及び直上階の共用部スピーカがパワーアンプ４７の出力に接続される。
【００８８】
このため火災発生階の住戸及び直上階の住戸にあっては、住戸用火災受信機１０の住戸用制御部１１において防災監視盤１からの音声警報出力制御信号が判別され、リレー２４の作動で切替リレー接点２４ａ，２４ｂを破線側に切り替え、また防災監視盤１においてもインターホン制御部３４が制御出力によりリレー５２を作動し、切替リレー接点５２ａを破線側に切り替え、音声合成部４６の出力を通話線２９に接続する。
【００８９】
同時に主制御部３０は入出力制御部４８に火災発生階及び直上階の共用部の回線選択のための制御指示を行い、これを受けて回線選択部４９の火災発生階及び直上階の回線に対応したリレーが作動され、出火階及び直上階の共用部スピーカがパワーアンプ４７の出力に接続される。
【００９０】
このような近隣火災警報の出力制御が済んだ状態で、主制御部３０は音声合成部４６による第２シグナルの音声警報信号の生成を中断し、火災及び火災発生住戸の判断結果に基づき音声合成部４６を作動し、近隣火災警報のための所定パターンの音声警報信号を生成して出力する。この近隣火災警報の音声警報信号は、図９に示したように、第１シグナルと警報メッセージを２回繰り返し、最後に第２シグナルを出し、全体を繰り返す火災警報音を出力させる。
【００９１】
ここで試験エリアが火災発生階または直上階に含まれていた場合には、試験エリアのスピーカから出力している第２シグナルの試験音である「フイッ  フィッ  フイッ」の繰り返しが途中で中断され、近隣火災警報のための火災警報音を出力する。例えば「フイッ  フィン  フォン  フィン  フォン  フィン  フォン  火事です。火事です。○○階△△△△号室で火災が発生しました。安全を確認の上避難してください  フイッ  フィッ  フイッ」を出力する。
【００９２】
また試験エリアで第２シグナルの試験音を中断して近隣火災警報のための災警報音の出力に切替える場合、警報メッセージを試験中に火災が発生したことを示す内容、例えば「試験中に本火災が発生しました」等の内容を含んだ火災警報音とする。具体的には「火事です。火事です。試験中に○○階△△△△号室で本火災が発生しました。安全を確認の上避難してください」等とする。
【００９３】
このように火災警報音の警報メッセージ中に試験中に火災が発生したことを示すメッセージを含ませることで、試験中断後の火災警報音を音圧測定用の試験音と誤認することを防止し、試験エリアでの火災報知を適切に行い、迅速な初期消火や避難を可能とする。
【００９４】
一方、試験エリアが火災発生階または直上階以外の場合には、第２シグナルによる試験音の出力を中断するだけでは状況が不明であることから、火災発生階及び直上階と同様、近隣火災警報のための火災警報音の出力に切替える。このため試験エリアが火災発生階または直上階といった近隣火災警報の対象エリアでなくとも、音圧測定試験を中断して火災発生の状況を適切に知らせることができる。
【００９５】
図７は主制御部３０に設けた音圧測定試験処理部３２による処理動作のフローチャートである。なお、図７のフローチャートは処理の概略例を説明したもので、処理の順番等はこれに限定されない。また各処理や処理と処理の間に必要に応じて遅延時間を設けたり、他の判定を挿入する等ができる。
【００９６】
図７の音圧測定試験処理にあっては、ステップＳ１で図６（Ａ）のような音圧測定試験画面６２を使用して試験エリアの回線番号を設定した後、ステップＳ２で実行スイッチ６をオン操作による試験実行操作の有無を判別している。ステップＳ２で実行スイッチ６による試験実行操作有りが判別されるとステップＳ３に進み、設定した試験エリアの回線番号に対応した共用部の回線選択リレーを駆動して試験エリアのスピーカを選択し、続いてステップＳ４で音声合成部４６の作動により第２シグナルの音声警報信号を繰り返し出力し、試験エリアのスピーカから音圧測定試験のための試験音を出力させる。
【００９７】
この第２シグナルの音声警報信号による試験音の出力中にあっては、ステップＳ５で火災発生の有無を判別しており、火災発生無しが判別されるとステップＳ６に進み、試験終了操作の有無を判別している。試験エリアに設置した騒音計により音圧測定試験が終了したならば、防災監視盤１の前画面スイッチ７を操作して試験終了を指示する。ステップＳ６で前画面スイッチ７の操作による試験終了操作有りを判別すると、試験エリアのスピーカからの試験音の出力を停止して一連の音圧測定試験を終了する。
【００９８】
一方、ステップＳ２で実行スイッチ６による試験実行操作有りが判別されない場合はステップＳ７に進み、前画面スイッチ７の操作による試験終了の有無を判別しており、試験終了操作有りを判別するとステップＳ９に進み、音圧測定試験を解除する。即ち、図６（Ａ）に示した音圧測定試験画面６２を前画面となるメニュー画面に戻し、ステップＳ１で設定した試験エリアの回線番号をクリアする。
【００９９】
またステップＳ７で試験終了操作有りが判別されなかった場合はステップＳ８に進み、ステップＳ１の試験エリアの回線番号の設定からの時間が所定時間経過したか否か判別しており、実行スイッチ６の試験実行指示有りが判別されずにステップＳ８で所定時間経過が判別されると、ステップＳ９に進んで音圧測定試験を解除する。この場合の音圧測定試験の解除も、図６（Ａ）に示した音圧測定試験画面６２を前画面となるメニュー画面に戻し、ステップＳ１で設定した試験エリアの回線番号をクリアする。
【０１００】
またステップＳ４で試験エリアのスピーカから第２シグナルの試験音を出力中にステップＳ５で火災発生（住戸用火災受信機１０からの火災確認信号または共用部用火災感知器４２からの発報信号受信）を判別すると、ステップＳ１０に進み、音圧測定試験を中断する。この音圧測定試験の中断は、試験エリアのスピーカから出力している第２シグナルによる試験音を停止する。
【０１０１】
続いてステップＳ１２で火災発生場所に対応して出火階と直上階の住戸および共用部に設けているスピーカを選択する。住戸用火災受信機１０のスピーカ選択は、住戸用制御部１１において防災監視盤１からの音声警報出力制御信号が判別され、リレー２４の作動で切替リレー接点２４ａ，２４ｂを破線側に切り替え、また防災監視盤１においてもインターホン制御部３４が制御出力によりリレー５２を作動し、切替リレー接点５２ａを破線側に切り替え、音声合成部４６の出力を通話線２９に接続する。
【０１０２】
また共用部のスピーカ選択は、主制御部３０が入出力制御部４８に火災発生階及び直上階の共用部の回線選択のための制御指示を行い、これを受けて回線選択部４９の火災発生階及び直上階の回線に対応したリレーが作動され、出火階及び直上階の共用部スピーカがパワーアンプ４７の出力に接続される。
【０１０３】
続いてステップＳ１２で試験エリアが出火階または直上階か否か判別し、出火階または直上階でないことを判別するとステップＳ１３に進み、試験エリアのスピーカを選択する。なお、ステップＳ１０の音圧測定試験の中断で、試験エリアのスピーカ選択を解除していない場合は、ステップＳ１２，Ｓ１３の処理は不要となる。
【０１０４】
続いてステップＳ１４で近隣火災警報の音声警報信号を生成し、出火階、直上階
及び試験エリアのスピーカから図９（Ａ）のパターンとなる近隣火災警報のための火災警報音を出力する。この近隣火災警報の音声警報信号による火災警報音には、試験中に火災が発生したことを示す音声メッセージを含ませることが望ましい。
【０１０５】
近隣火災警報のための火災警報音の出力中にあってはステップＳ１５で警報停止操作の有無を判別しており、図２の防災監視盤１に設けた例えば音響停止スイッチ８による警報停止操作有りを判別すると、近隣火災警報のための火災警報音を停止して一連の処理を終了する。
【０１０６】
なお上記の実施形態は集合住宅の共用部に設置されているスピーカの音圧測定試験を例にとるものであったが、本考案はこれに限定されず、集合住宅以外の構造物の防災監視設備で共用部などに設置されているスピーカの音圧測定につき、同様に適用することができる。
【０１０７】
例えばビル用の防災監視設備であれば、火災発生階のみを特定して音声警報を行うようにしても良く、この場合にも、本考案の音圧測定試験を適用できる。この場合は、共用部のスピーカの音圧測定には限定されず、フロア内のスピーカの音圧測定を行っても良い。
【０１０８】
また上記の実施形態にあっては、火災時の音声信号に含まれるスイープ音の連続音となる第２シグナルを音圧測定用鳴動パターンとして音声合成により出力させる場合を例にとっているが、音圧測定に適した警報音を含む音声信号であれば、火災時に発生する音声信号の適宜の部分を使用して連続出力させるようにしても良い。
【０１０９】
また本実施形態においては、第１シグナル、メッセージ、第２シグナルの繰り返しによる音声信号の出力パターンで音声警報を行っているが、音声信号の出力パターンはこれに限定されるものではない。更に音声警報は近隣火災警報に限定されず、最初から一斉鳴動を行う設備でも本考案を適用できる。
【０１１０】
また、音声警報信号の内のメッセージは特に火災発生場所を特定する必要はなく、単に火災発生を示すメッセージであっても良い。
【０１１１】
また、本考案は防災設備に限定されず、住宅用火災警報器として知られた住警器や適宜の異常を検知して警報する警報器の音圧測定試験に適用することができる。
【０１１２】
また本考案は上記の実施形態に限定されず、その目的と利点を損なうことのない適宜の変形を含み、更に上記の実施形態に示した数値による限定は受けない。
【符号の説明】
【０１１３】
１：防災監視盤
２：火災監視部
３：インターホン親機
４：液晶表示部
５：テンキー
６：実行スイッチ
７：前画面スイッチ
１０：住戸用火災受信機
１１：住戸用制御部
１２：制御部
１３，３５：伝送回路
１４，３６：通話回路
１５：住戸用音声合成部
１６：アドレス設定部
１７：火災監視部
１８：住戸感知器回線
２０：住戸用火災感知器
２１：火災表示灯
２２，３７：ハンドセット
２３，５１：トランジスタ
２４，５２：リレー
２４ａ，２４ｂ，５２ａ：切替リレー接点
２５，４４：アンプ
２６：住戸用スピーカ
２７：ドアホン
２７ａ：戸外表示器
２８：伝送線
２９：通話線
３０：主制御部
３１：監視制御部
３２：音圧測定真処理部
３３：操作部
３４：インターホン制御部
３８：集合玄関機
４０：中継器
４１：共用部感知器回線
４２：共用部用火災感知器
４３：主音響警報用音声合成部
４５：主音響警報用スピーカ
４６：音声合成部
４７：パワーアンプ
４８：入出力制御部
４９：回線選択部
５０：共用部用スピーカ
５３：電源部
５４：音声合成ＩＣ
５６：ローパスフィルタ
５８：音声データＲＯＭ
６０：通常監視画面
６２：音圧測定試験画面
６３：回線番号設定枠
６４：試験中画面
【図１】
0003191705.tif 000003
【図２】
0003191705.tif 000004
【図３】
0003191705.tif 000005
【図４】
0003191705.tif 000006
【図５】
0003191705.tif 000007
【図６】
0003191705.tif 000008
【図７】
0003191705.tif 000009
【図８】
0003191705.tif 000010
【手続補正書】
【提出日】平成26年3月18日(2014.3.18)
【手続補正１】
【補正対象書類名】実用新案登録請求の範囲
【補正対象項目名】全文
【補正方法】変更
【補正の内容】
【実用新案登録請求の範囲】
【請求項１】
防災監視盤に、
住戸内に設置した火災感知器又は共用部に設置した火災感知器の火災検出により火災発生を判別した場合、火災発生を示すメッセージ及び警報音を含む所定パターンの音声警報信号を生成して火災発生場所に対応した共用部のスピーカから火災警報音を出力させる監視制御部と、
操作部による音圧測定試験の試験エリアとなる共用部を指定する試験エリア設定操作と試験開始を指示する試験実行操作に基づいて、前記音声警報信号の内の音圧測定を行う所定の信号箇所を、試験エリアとなる共用部のスピーカから試験音として繰返し出力させる音響測定試験を実行する音圧測定試験処理部と、
を設けた防災監視設備に於いて、
前記防災受信盤に設けた前記音圧測定試験処理部は、試験中に前記火災感知器の火災検出により前記監視制御部で火災発生を判別した場合、前記音圧測定試験を中断し、前記音声警報信号を生成して火災発生場所に対応した前記共用部のスピーカから火災警報音を出力させることを特徴とする防災監視設備。
【請求項２】
請求項１記載の防災監視設備に於いて、前記防災監視盤に設けた前記音圧測定試験処理部は、試験中に前記監視制御部により火災発生を判別した場合、前記スピーカによる前記試験音を途中で中断した後に前記火災警報音を出力させることを特徴とする防災監視設備。
【請求項３】
請求項１記載の防災監視設備に於いて、前記防災監視盤に設けた前記音圧測定試験処理部は、試験中に前記火災感知器の火災検出により前記監視制御部で火災発生を判別した場合、前記スピーカによる前記試験音を中断した後に試験中に火災が発生したことを示すメッセージを含む所定パターンの音声警報信号を生成して火災警報音を出力させることを特徴とする防災監視設備。
【請求項４】
請求項１記載の防災監視設備に於いて、前記防災監視盤に設けた前記音圧測定試験処理部は、前記操作部による前記試験エリア設定操作を判別した後に所定時間を経過しても前記操作部による前記試験実行操作を判別しない場合または前記操作部による試験終了操作を判別した場合、前記音圧測定試験を解除することを特徴とする防災監視設備。
【手続補正書】
【提出日】平成26年5月1日(2014.5.1)
【手続補正１】
【補正対象書類名】実用新案登録請求の範囲
【補正対象項目名】請求項１
【補正方法】変更
【補正の内容】
【請求項１】
防災監視盤に、
住戸内に設置した火災感知器又は共用部に設置した火災感知器の火災検出により火災発生を判別した場合、火災発生を示すメッセージ及び警報音を含む所定パターンの音声警報信号を生成して火災発生場所に対応した共用部のスピーカから火災警報音を出力させる監視制御部と、
操作部による音圧測定試験の試験エリアとなる共用部を指定する試験エリア設定操作と試験開始を指示する試験実行操作に基づいて、前記音声警報信号の内の音圧測定を行う所定の信号箇所を、試験エリアとなる共用部のスピーカから試験音として繰返し出力させる音響測定試験を実行する音圧測定試験処理部と、
を設けた防災監視設備に於いて、
前記防災監視盤に設けた前記音圧測定試験処理部は、試験中に前記火災感知器の火災検出により前記監視制御部で火災発生を判別した場合、前記音圧測定試験を中断し、前記音声警報信号を生成して火災発生場所に対応した前記共用部のスピーカから火災警報音を出力させることを特徴とする防災監視設備。